(57)【特許請求の範囲】
【請求項１】
患者の頭部を気密に覆うことができ、少なくとも一個の透明な部分を有して、給気装置に接続可能な給気口と排気口を具備するヘルメット本体を備え、前記ヘルメット本体が、前記患者に装着されたときに前記患者の口の位置に対応して位置する部分に、取り外し可能な閉止部材によって閉止される開口を有する、酸素マスクの補助なく行う人工呼吸用のヘルメットにおいて、
前記閉止部材は、前記ヘルメット本体の内部に空気流及び／又は空気圧の減少が生じたときに開いて、上記ヘルメット本体の内部と外部との間で相互の空気流動を許容する窒息防止バルブが設けられており、
前記窒息防止バルブは常開弁により構成され、前記ヘルメット本体の内部の空気圧によって閉じられることを特徴とする、酸素マスクの補助なく行う人工呼吸用のヘルメット。
【請求項２】
前記ヘルメット本体は、前記透明な部分に設けられて前記開口を構成する引込み口を有することを特徴とする請求項１に記載の酸素マスクの補助なく行う人工呼吸用のヘルメット。
【請求項３】
前記閉止部材は閉止プラグによって構成されることを特徴とする請求項１に記載の酸素マスクの補助なく行う人工呼吸用のヘルメット。
【請求項４】
前記閉止部材はゲートバルブによって構成されることを特徴とする請求項１に記載の酸素マスクの補助なく行う人工呼吸用のヘルメット。
【請求項５】
前記閉止部材はフラップによって構成されることを特徴とする請求項１に記載の酸素マスクの補助なく行う人工呼吸用のヘルメット。
【請求項６】
前記閉止部材は、チューブ等を気密に挿入するための少なくとも一個の引込み口を有することを特徴とする請求項１に記載の酸素マスクの補助なく行う人工呼吸用のヘルメット。
【発明の詳細な説明】
【０００１】
【発明の属する技術分野】
本発明は、酸素マスクの補助なく行う人工呼吸用ヘルメットの改良に関する。
【０００２】
【従来の技術】
本出願人の先行する出願(特許文献１参照)は、酸素マスクの補助なく行う人工呼吸用のヘルメットを開示しているが、この発明は窒息防止バルブを設けることによって高い割合で安全性を確保でき、またヘルメットを患者に強固に装着するためのストラップを設けて使用中にヘルメットが持ち上がるという好ましくない事態が生じないようにしており、多くの点において効果があることが立証されている。
【０００３】
【特許文献１】
欧州特許出願公開ＥＰ０１１７００２６Ａ２号公報(欧州特許出願ＥＰ０１１１３６８５．０号)
【０００４】
【発明が解決しようとする課題】
上述のヘルメットは、さらに改良をなしうることが分かっているが、本発明は、その用途をさらに広げ、かつヘルメット内部の容積、したがって不要な空隙(デッドスペース)を最小限にとどめることが可能なヘルメットを提供することを目的とする。
【０００５】
この目的のため、本発明は、必要ならばヘルメットを取り外さずに迅速に患者に用いることができるヘルメットを提供することを目的とする。
本発明のもう一つの目的は、窒息防止バルブの最適なものにし、安全性を飛躍的に高めることを可能にすることである。
本発明のさらに他の目的は、特性向上を図りつつ、構造は依然として簡単で、製造費も安価なヘルメットを提供することである。
【０００６】
【課題を解決するための手段】
上述の目的および以下で明らかになる目的は、患者の頭部を気密に覆うことができ、少なくとも一個の透明な部分を有して、給気装置に接続可能な給気口と排気口を具備するヘルメット本体を備え、前記ヘルメット本体が、前記患者に装着されたときに前記患者の口の位置に対応して位置する部分に、取外し可能な閉止部材によって閉止される開口を有する、酸素マスクの補助なく行う人工呼吸用のヘルメットであって、前記閉止部材に、前記ヘルメット本体の内部に空気流及び／又は空気圧の減少が生じたときに開いて、上記ヘルメット本体の内部と外部との間で相互の空気流動を許容する窒息防止バルブが設けられており、前記窒息防止バルブは常開弁により構成され、前記ヘルメット本体の内部の空気圧によって閉じられることを特徴とする、酸素マスクの補助なく行う人工呼吸用のヘルメットにより達成される。
【０００７】
本発明のさらなる特徴と利点は、添付図面を参照して行う、酸素マスクの補助なく行う人工呼吸用ヘルメットについての好ましい例示的な態様に係る下記の詳細な説明から明らかになるであろう。
【０００８】
【発明の実施の形態】
添付の図面から明らかなように、本発明に係る酸素マスクの補助なく行う人工呼吸用ヘルメットは、好ましくは非変形性の透明な半剛性の材料からつくられる正面部２とこの正面部に連なる不透明な背面部３を含むヘルメット本体１を備える。正面部２と背面部３の側壁の上部は、頂面部材４によって覆われる。
【０００９】
基部リング１０はヘルメット本体の開放端に取り付けられるが、人体に合わせた形状となっており、使用の際には正面部２の側で、そして好ましくは背面部３の側でも、下方に垂れてサドルのような配置形状となる。したがって、変形可能な封止カラー１１と連結するための縁部の領域においては、患者の体型に近似した形で装着される。
【００１０】
本態様のような構成にすると、通気用の機械を使って患者に人工呼吸をしている最中にこの封止カラー１１が拡張して入り込むデッドスペースが小さくなる。
したがって、ヘルメット本体を正しい形状にすることと併せれば、変形可能な封止カラー１１が人工呼吸の最中に拡張して入り込むデッドスペースを最小にすることができる。その結果、人工呼吸の吸気時にヘルメット内部の陰圧を見た目で判断する場合の、封止カラーの応答の程度を大きくすることができる。
【００１１】
本発明のもう一つの重要な特徴は、透明な正面部２に接続する接続ポート２１によって形成される開口２０が、患者の口の近くに設けられることである。この開口２０は、ネジもしくは差込金具またはゲートバルブもしくは閉止フラップ等の他の適当な手段を介して連結される閉止プラグ２２を備えた閉止部材によって密封することができる。
【００１２】
本発明の利点は、閉止プラグ２２が、一個またはそれ以上の引込み口２３を有することである。この引込み口２３は、鼻から胃に差し込むチューブやカニューレ等を気密に挿入することを可能にする。これらのチューブ類は、閉止プラグの引込み口や開口２０を閉止する同様の部材に設けた引込み口を通じて、密封状態で挿入することができるからである。
【００１３】
本発明のもう一つの特徴は、閉止プラグ２２またはヘルメット本体表面の他の箇所（例えば頂面）に直接取り付けられる、独特の構成をもつ窒息防止バルブ３０にある。
窒息防止バルブ３０は外界に向かう複数の貫通孔３２を有する薄手のバルブ本体３１を備え、このバルブ本体３１は、ヘルメット本体１の内部において、ケージまたは横材３５によって貫通孔３２の近傍に収納された浮動膜または浮動ディスク３３による作用を受ける。
【００１４】
本発明においては、このような窒息防止バルブを設けたために、ヘルメットの通常の使用時には、給気装置に接続された給気口８を通して空気が流入し、この空気は同じくヘルメット本体１に設けられた排気口９を通して排出される。ヘルメットの内部で生成する空気圧のために、浮動ディスク３３は、バルブ本体３１に対して貫通孔３２を閉止するように作用するため、浮動ディスク３３は貫通孔３２を最適な形で封止する。
【００１５】
ヘルメットの内部で空気流および／または空気圧が何らかの原因で低下した場合には、窒息防止バルブ３０が浮動ディスク３３自身の重量で、および／または予め調整しておいたばねの作用により直ちに開放し、貫通孔３２の封止を解く。その結果、人工呼吸で息を吸うときも吐くときも、空気と呼気は自由に循環することができ、きわめて有効かつ安全な人工呼吸が可能になる。一方、空気流および／または空気圧を回復した場合には、浮動ディスク３３を手動で位置合わせし、貫通孔３２を閉止して人工呼吸中はその閉止位置に留まるようにしなければならない。
【００１６】
図６および図７は、デッドスペースを著しく減少させたヘルメットを示す。この態様のヘルメットは、従来の酸素マスクにあるような装着時に心地よくないという欠点を解消するという利点も有する。
この場合、デッドスペースを減らす手段は、ヘルメット本体１の内部に設けられ、袋体４０から構成される。袋体４０は、ヘルメット本体１と直接一体化されるか、またはヘルメット本体１とは別個に設けられ、ヘルメット本体１の外からアクセスできるダクト４１を用いて膨らませることができる。
【００１７】
袋体４０は、患者の頭の上部に当てる上方ドーム部４２を備え、この上方ドーム部は、頭の側面に位置する側面部４３を介して患者の首に当てられる封止カラー部４４とつながる。
このような上方ドーム部４２を設けるとデッドスペースを小さくでき、通気の補助をする場合に、吸気の開始時に圧力が低下すると給気装置が直ちにこれを検知して給気をすることができ、システムの反応性がよくなる。
【００１８】
図８には、患者への装着手段が異なる態様が示されている。ストラップは長時間装着していると脇の下にかかる圧力によって痛みが生じ、患者によっては耐え難いものになるが、この態様は、そのような脇の下にかかるストラップの圧力をなくすことができる。
この態様においては、必要に応じてパッド４２を間に挟んで患者の腰に巻きつけるバンドまたはベルト４０を用いる。そして、好ましくはヘルメット本体１の正面と背面に配置される接続ストラップ４５が、ベルト４０につながれる。
【００１９】
このベルト４０を用いると、患者の身体との接触面積が増えて、負荷を減らし、従来のストラップを用いたときに生じる上方に突き上げる力をなくすことができる。
この態様は、ストラップを脇の下に当てるのとは異なる装着方法であり、苦痛の少ない方法でヘルメットを使用できるため、非常に有利である。
【００２０】
本発明には多数の変形・変更が可能であろうが、それらのすべては、本発明の技術思想に包含される。
さらに、ここに記載した各部材は、技術的に等価な他の部材に置き換えることができる。
実際に使用する場合は、材料は、特定の目的のための使用、条件および寸法に適う限りは、どのようなものを用いてもよい。
【００２１】
【発明の効果】
以上の説明で明らかなように、本発明によれば、先に述べた目的を達することができ、特にヘルメット内部のデッドスペースを減らして、ヘルメットを取り外さなくても患者の口に自由にアクセスでき、かつ安全性が非常に高い人工呼吸用のヘルメットが提供される。
【図面の簡単な説明】
【図１】本発明に係るヘルメットの斜視図である。
【図２】本発明に係るヘルメットを装着したときの斜視図である。
【図３】本発明の一態様に係るヘルメットの窒息防止バルブの断面図である。
【図４】本発明に係るヘルメットを装着したときの断面図である。
【図５】本発明に係るヘルメットを患者にチューブおよび／またはカテーテルを挿入しながら使用しているときの断面図である。
【図６】本発明に係る、デッドスペースを減らすための手段を具備したヘルメットの断面図である。
【図７】デッドスペースを減らすための手段の斜視図である。
【図８】患者への装着手段を異にするヘルメットの正面図である。
【符号の説明】
１      ヘルメット本体
２      正面部
３      背面部
１１    封止カラー
２０    開口
２２    閉止プラグ
２３    引込み口
３０    窒息防止バルブ
３２    貫通孔
３３    浮動ディスク
４０    袋体
４１    ダクト
４２    上方ドーム部
４５    接続ストラップ
【図１】
0004166582.tif 000002
【図２】
0004166582.tif 000003
【図３】
0004166582.tif 000004
【図４】
0004166582.tif 000005
【図５】
0004166582.tif 000006
【図６】
0004166582.tif 000007
【図７】
0004166582.tif 000008
【図８】
0004166582.tif 000009